(57)【要約】【課題】従来と同様の強度を確保できながら、使用材量の薄肉化を叶え、コストダウン、取扱性の向上を図れるようにする。【解決手段】左右に間隔をあけて立設された、一対の立壁部６と、それらを一体に連結する床部７とを設け、取付対象の他物止め部２を取付自在な取付部８を、立壁部２の上縁部に備え、取付下地１への接地部９を、立壁部６の下縁部に備えたレール状の固定具本体Ｒで構成し、取付部８は、断面「コ」形状の一対の溝部１０を、両立壁部６に各別に設け、座金状の他物止め部２の縁部を一対の溝部１０にわたって嵌合させることで、溝部１０の下方の溝側部１０ａに対して他物止め部２から重量が作用する状態に取り付けられるように構成してある他物固定具であって、立壁部６と溝部１０との取り付け位置は、下方の溝側部１０ａにおける、溝底部１０ｃより溝開口部１０ｄ側の位置に設定してある。【選択図】図４
2010163794.tif 000002
【特許請求の範囲】
【請求項１】
左右に間隔をあけて立設された、一対の立壁部と、
前記一対の立壁部どうしを一体に連結する床部とを設け、
取付対象の他物を取付自在な取付部を、前記立壁部の上縁部に備え、
取付下地への接地部を、前記立壁部の下縁部に備えたレール状の固定具本体で構成し、
前記取付部は、断面「コ」形状の一対の溝部を、その溝開口どうしが前記立壁部の厚み方向に対向する状態で前記一対の立壁部に各別に設け、
座金状の他物止め部の縁部を前記一対の溝部にわたって嵌合させることで、前記溝部の上下一対の溝側部の内の下方の溝側部に対して前記他物止め部から重量が作用する状態に取り付けられるように構成してある他物固定具であって、
前記立壁部と前記溝部との取り付け位置は、前記下方の溝側部における、溝底部より溝開口部側の位置に設定してある他物固定具。
【請求項２】
前記立壁部と前記溝部との取り付け位置は、前記下方の溝側部における、前記溝開口部側の縁部に設定してある請求項１に記載の他物固定具。
【請求項３】
請求項１又は２に記載の他物固定具に、前記一対の溝部にわたって座金状の他物止め部の縁部を嵌合させることで取り付けてあり、前記他物止め部を、断面凸状に形成し、この他物止め部の天面に他物を固定するボルトを突設してある他物固定装置。
【請求項４】
前記他物止め部の天面と、前記上下一対の溝側部の内の上方の溝側部の上面とが、同一平面を形成するように構成してある請求項３に記載の他物固定装置。
【発明の詳細な説明】
【技術分野】
【０００１】
本発明は、例えば、屋上やバルコニー等の取付下地上に、他物止め部（例えば、ソーラー設備や空調設備、広告設備、キャットウォーク等の構造物、植栽設備、それらのフレームや止め金具等）を取り付けるのに使用することができる他物固定具に関し、更に詳しくは、左右に間隔をあけて立設された、一対の立壁部と、前記一対の立壁部どうしを一体に連結する床部とを設け、取付対象の他物止め部を取付自在な取付部を、前記立壁部の上縁部に備え、取付下地への接地部を、前記立壁部の下縁部に備えたレール状の固定具本体で構成し、前記取付部は、断面「コ」形状の一対の溝部を、その溝開口どうしが前記立壁部の厚み方向に対向する状態で前記一対の立壁部に各別に設け、座金状の他物止め部の縁部を前記一対の溝部にわたって嵌合させることで、前記溝部の上下一対の溝側部の内の下方の溝側部に対して前記他物止め部から重量が作用する状態に取り付けられるように構成してある他物固定具、及び、他物固定装置に関する。
【背景技術】
【０００２】
従来、この種の他物固定具、及び、他物固定装置としては、図１０に示すような断面形状のレール状固定具本体Ｒで構成してあるものが考えられる。
即ち、左右に間隔をあけて立設された、一対の立壁部６と、前記一対の立壁部６の下端部どうしを一体に連結する床部７とを設け、取付対象の他物止め部２を取付自在な取付部８を、前記立壁部６の上縁部に備え、取付下地１への接地部９を、前記立壁部６の下縁部に備えて前記固定具本体Ｒを形成することができる。
また、前記取付部８は、断面「コ」形状の一対の溝部１０を、その溝開口どうしが前記立壁部６の厚み方向に対向する状態で前記一対の立壁部６から内側に張り出し状態に設けて構成することができる。
尚、この様な従来技術に関しては、当業者の間で容易に実現し得るものであるが、該当する他物固定技術に関して詳しく言及した特許文献などは見あたらないので、先行技術文献は示していない。
【発明の概要】
【発明が解決しようとする課題】
【０００３】
上述した従来の他物固定技術によれば、当該他物固定具に取り付けた他物止め部に、風圧等の外力が作用して、取付部に対して上下方向の荷重が加わった場合、図１１に記載の立壁部における※の部分に、大きな曲げモーメントが生じることになる。更には、これらの荷重は、繰り返して作用するから、疲労破壊を生じることも懸念される。
特に、前記他物止め部の重量が大きい場合には、下向きの前記外力と他物止め部重量とが合わさって、大きな下方向の荷重による曲げモーメントが作用する。
従って、前記取付部、及び、それを支持している立壁部に充分な支持力を確保する必要があり、固定具本体の材厚が大きくなりがちで、それに伴って、材料コストが高い問題点があった。更には、材料重量も大きいから、設置作業時の取扱性が悪いといった問題点もあった。
【０００４】
従って、本発明の目的は、上記問題点を解消し、従来と同様の強度を確保できながら、使用材量の薄肉化を叶え、コストダウン、取扱性の向上を図ることができる他物固定技術を提供するところにある。
【課題を解決するための手段】
【０００５】
本発明の第１の特徴構成は、左右に間隔をあけて立設された、一対の立壁部と、前記一対の立壁部どうしを一体に連結する床部とを設け、取付対象の他物止め部を取付自在な取付部を、前記立壁部の上縁部に備え、取付下地への接地部を、前記立壁部の下縁部に備えたレール状の固定具本体で構成し、前記取付部は、断面「コ」形状の一対の溝部を、その溝開口どうしが前記立壁部の厚み方向に対向する状態で前記一対の立壁部に各別に設け、座金状の他物止め部の縁部を前記一対の溝部にわたって嵌合させることで、前記溝部の上下一対の溝側部の内の下方の溝側部に対して前記他物止め部から重量が作用する状態に取り付けられるように構成してある他物固定具であって、前記立壁部と前記溝部との取り付け位置は、前記下方の溝側部における、溝底部より溝開口部側の位置に設定してあるところにある。
【０００６】
本発明の第１の特徴構成によれば、前記立壁部と前記溝部との取り付け位置は、上下一対の溝側部の内の下方の溝側部における、溝底部より溝開口部側の位置に設定してあるから、図９に示すように、他物止め部（この例においては、座金）２から下方に向けた荷重が作用した場合、立壁部６では、他物止め部２からの荷重を縦方向に沿った軸力として直に受けることとなり、下方の溝側部１０ａ、及び、立壁部６に大きな曲げモーメントが作用し難くなる。
従って、溝部８や立壁部６を曲げ破壊し難くでき、従来より薄肉に形成しても、同様の荷重支持を図ることが可能となる。
長尺材料の薄肉化は、微小な厚みの軽減でも、全長にわたれば大きな材料軽減効果が得られ、結果的に、コストダウン、軽量化による取扱性の向上を図ることができる。
【０００７】
本発明の第２の特徴構成は、前記立壁部と前記溝部との取り付け位置は、前記下方の溝側部における、前記溝開口部側の縁部に設定してあるところにある。
【０００８】
本発明の第２の特徴構成によれば、両立壁部どうしの離間距離を、最小にすることができ、両立壁部を一体に連結している床部のスパン幅をも最少化できることで、床部の応力低減化を実現することができる。
その結果、床部においても、従来より薄肉化を図って、コストダウン、及び、取扱性の向上を図ることができる。
【０００９】
本発明の第３の特徴構成は、請求項１又は２に記載の他物固定具に、前記一対の溝部にわたって座金状の他物止め部の縁部を嵌合させることで取り付けてあり、前記他物止め部を、断面凸状に形成し、この他物止め部の天面に他物を固定するボルトを突設してあるところにある。
【００１０】
本発明の第３の特徴構成によれば、他物止め部そのものの断面二次モーメントが、平板形状のものに比べて増加し、全体的な強度アップを図ることが可能となる。その結果、より強力に他物固定を行うことができる。
【００１１】
本発明の第４の特徴構成は、前記他物止め部の天面と、前記上下一対の溝側部の内の上方の溝側部の上面とが、同一平面を形成するように構成してあるところにある。
【００１２】
本発明の第４の特徴構成によれば、固定対象物が載置される当該他物固定装置の上面が面一状態になり易く、段差によるガタ等を防止し易い。
【図面の簡単な説明】
【００１３】
【図１】他物固定具を用いた他物止め部の固定状況を示す斜視図
【図２】他物固定具の設置状況を示す分解斜視図
【図３】他物固定具の設置状況を示す斜視図
【図４】他物固定具を用いた他物止め部の固定状況を示す固定具本体軸芯方向視断面図
【図５】他物固定具を用いた他物止め部の固定状況を示す固定具本体幅方向視断面図
【図６】防水シートの固定状況を示す説明斜視図
【図７】他物固定具の取付手順を示す説明斜視図
【図８】別実施形態の他物固定具を示す横断面図
【図９】他物固定具への外力の伝達状況を示す固定具本体要部軸芯方向視断面図
【図１０】従来例の他物固定具を用いた他物止め部の固定状況を示す斜視図
【図１１】従来例の他物固定具への外力の伝達状況を示す固定具本体要部軸芯方向視断面図
【発明を実施するための形態】
【００１４】
以下に本発明の実施の形態を図面に基づいて説明する。尚、図面において従来例と同一の符号で表示した部分は、同一又は相当の部分を示している。
【００１５】
図１は、本発明の他物固定具の一実施形態である固定具Ｋ１を使用して屋上スラブ（取付下地に相当）１上に他物止め部２を固定してある状況を示すものである。
但し、前記他物止め部２とは、例えば、ソーラー設備や空調設備、広告設備、キャットウォーク等の構造物、植栽設備等さまざまなものが該当し、更には、それらの各設備を取り付けるための各フレームや座金等も含めてここでは他物止め部２と言う。当該実施形態では、前記他物止め部２は、ソーラー設備のフレームを取り付ける座金２ａを例に挙げて説明している。
また、前記固定具Ｋ１に前記他物止め部２を取り付けてあるものを他物固定装置という。
【００１６】
前記屋上スラブ１は、本実施形態においては、下地３上に隣り合う物どうしを所定間隔で配置して固着された防水シート固定用の金属プレート４上に、合成樹脂製の防水シート５を接着して構成されている。
前記下地３は、本実施形態においては、プレキャストコンクリートパネル３Ａ上にマット状の断熱材３Ｂを重ねて配置して構成されている。勿論、下地３そのものは、このような構成に限るものではなく、例えば、コンクリート床や、折板屋根に使用される折板（金属板）によるものや、その上に断熱材が設けられたもの等、さまざまな対応が考えられる。
【００１７】
前記金属プレート４は、例えば、円盤状や帯板状に成形してあり、通常は、図に示すように、ビスやコンクリート釘、ボルト等で下地３に固定される。そして、その上面に接着剤を塗布して前記防水シートを接着する方法や、予め、金属プレート４上に、熱可塑性接着部（例えば、ホットメルト接着部）を設けておき（図６参照）、上に被せた防水シート５上から金属プレート４を電磁誘導加熱することで前記熱可塑性接着部を溶融させて防水シート５と金属プレート４とを接着する方法で防水シート５を固定することができる。
前記防水シート５は、本実施形態においては、塩化ビニル製のものを例に挙げて説明している。
【００１８】
尚、前記固定具Ｋ１は、後述するとおり、レール状の長尺部材によって構成してあるから、屋上スラブ１の平坦面上に全長にわたって載置させると、固定具Ｋ１によって雨水が堰き止められて屋上排水に障害を及ぼすことが懸念される。
本実施形態においては、この問題を解消できるように、図１、図５に示すように、屋上スラブ１の上の固定具設置計画位置に、前記固定具Ｋ１を屋上スラブ１の上面から離間させて取り付けるベース部Ｂを、固定具Ｋ１の長手方向に間隔をあけた複数個所に取り付けてある。
前記ベース部Ｂは、図２に示すように、円板形状の底面部Ｂａと、その底面部Ｂａの中央に立設された円柱部Ｂｂと、円柱部Ｂｂの外周に平面視十字配置で底面部Ｂａにわたって形成された控え壁部Ｂｃと、前記円柱部Ｂｂに埋設されたボルトＢｄとを一体に設けて構成してある。そして、底面部Ｂａの下面には、一回り大きめに成形された防水シート１２が接着してあり、この防水シート１２を屋上スラブ１上の防水シート５上面に接着することで、当該ベース部Ｂ設置部分の防水性の向上を図っている。尚、前記底面部Ｂａ、円柱部Ｂｂ、控え壁部Ｂｃは、硬質の合成樹脂によって構成されている。
また、四つの前記控え壁Ｂｃの内、固定具Ｋ１と平行配置となる二つの控え壁Ｂｃには、図５に示すように、屋上スラブ１へねじ込んでベース部Ｂを固定するネジ部材１３を挿入するための挿入部１４が夫々設けられている。そして、この挿入部１４へは、前記ネジ部材１３を設置した後、シーリング材を充填すると共にキャップ１５が設置される。
一方、固定具Ｋ１と直交配置となる二つの控え壁Ｂｃには、図４に示すように、前記固定具Ｋ１が載置状態に設置される。
【００１９】
前記固定具Ｋ１は、当該実施形態においては、図２、図３に示すように、押出成形によって形成された長尺の金属形鋼で構成してある。
固定具Ｋ１は、左右に間隔をあけて立設された、一対の立壁部６と、前記一対の立壁部６どうしを一体に連結する床部７とを設け、前記他物止め部２を取付自在な取付部８を、前記立壁部６の上縁部に備え、屋上スラブ１への接地部９を、前記立壁部６の下縁部に備えたレール状の固定具本体Ｒで構成してある。
【００２０】
前記床部７には、前記ベース部Ｂに対応する位置に、前記ボルトＢｄを挿通させて固定するためのボルト挿通穴７ａが、長手方向に間隔をあけて設けてある。
また、接地部９は、前記立壁部６の下端部から、両側方にそれぞれ突出するフランジ部９ａで構成してある。このフランジ部９ａが、前記控え壁部Ｂｃの上面の広い範囲に当接することで、分散して荷重を伝えることができ、固定具Ｋ１の局部に応力集中が生じるのを緩和している。
【００２１】
前記取付部８は、断面「コ」形状の一対の溝部１０を、その溝開口どうしが前記立壁部６の厚み方向に対向する状態で前記一対の立壁部６に各別に設け、他物止め部２を構成する前記座金２ａの縁部を前記一対の溝部１０にわたって嵌合させることで、溝の長手方向にスライド可能な状態に取り付けることができる。
因みに、座金２ａには、ソーラー設備のフレームと固定する固定ボルト１１を、倒立状態に挿通させてある。
【００２２】
前記立壁部６と前記溝部１０との取り付け位置は、図４に示すように、上下一対の溝側部１０ａ，１０ｂの内の下方の溝側部１０ａにおける、溝底部１０ｃより溝開口部１０ｄ側の縁部に設定してある。
従って、前記座金２ａから加わる外力が、下方向に作用する場合には、座金２ａから下方の溝側部１０ａに伝達されるものの、その直下に位置する立壁部６が上下軸方向力として受け止めることができ、溝側部１０ａから立壁部６へ曲げモーメントがほとんど作用しないようにすることができる。
【００２３】
次に、当該固定具Ｋ１の設置手順について説明する。
［１］  図７に示すように、屋上スラブ１上に割り振られたベース部Ｂ設置予定位置に、ベース部Ｂを配置して、前記ネジ部材１３を前記挿入部１４を通して屋上スラブ１にねじ込んで固定する（図５参照）。
その後、前記防水シート１２を屋上スラブ１の防水シート５に接着する（図７参照）。
また、前記挿入部１４にシーリング材を充填してキャップ１５を設置する。この工程によって、固定具Ｋ１設置部分の防水性の維持を図ることが可能となる。
［２］  設置されたベース部Ｂの上方に固定具Ｋ１を配置する（図２，３参照）。そして、ベース部Ｂから上方に突出しているボルトＢｄが、固定具Ｋ１のボルト挿痛穴７ａを貫通するように固定具Ｋ１の位置合わせを行い、貫通させたボルトＢｄにナット７Ｂｅを螺合して固定する（図２参照）。この際、ナット７Ｂｅの固定操作は、上方から電動工具等を使用して効率よく締め付けることができる。
［３］  固定具本体Ｒの一対の溝部１０に前記座金２ａを嵌合させて、固定具本体Ｒの長手方向での所定位置までスライドする。座金２ａに挿通した倒立状態の固定ボルト１１に、ソーラー設備のフレームを挿通させてナットで固定する（図３参照）。
【００２４】
本実施形態の固定具によれば、他物止め部（座金等）２から下方に向けた荷重が作用した場合、立壁部６では、他物止め部２からの荷重を縦方向に沿った軸力として直に受けることとなり、下方の溝側部１０ａ、及び、立壁部６に大きな曲げモーメントが作用し難くなる（図９参照）。
従って、溝部１０や立壁部６を曲げ破壊し難くでき、従来より薄肉に形成しても、同様の荷重支持を図ることが可能となる。
その結果、固定具としてのコストダウン、軽量化による取扱性の向上を図ることができる。
【００２５】
〔別実施形態〕
以下に他の実施の形態を説明する。
【００２６】
〈１〉  当該他物固定具の設置対象は、先の実施形態で説明した屋上スラブに限るものではなく、同様の屋上スラブであっても、その構造や形式の異なるものであってもよい。また、屋上スラブ以外にも、例えば、屋根や壁等もその設置対象とすることができる。
それらを含めて取付下地１と総称する。
〈２〉  当該他物固定具を取付下地に設置する場合、先の実施形態で説明したように、ベース部Ｂを介在させることに限るものではなく、直接的に設置するように構成することも可能である。
〈３〉  当該他物固定具は、立壁部６と溝部１０との取り付け位置に関して、下方の溝側部１０ａにおける、溝底部１０ｃより溝開口部１０ｄ側の縁部に設定してあるものに限らず、例えば、図８に示すように、下方の溝側部１０ａにおける、溝底部１０ｃより溝開口部１０ｄ側の任意の位置に設定してあってもよい。
【００２７】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２８】
１      屋上スラブ（取付下地に相当）
２      他物止め部
６      立壁部
７      床部
８      取付部
９      接地部
１０    溝部
１０ａ  下方の溝側部
１０ｂ  上方の溝側部
１０ｃ  溝底部
１０ｄ  溝開口部
１１    ボルト
Ｒ      固定具本体
Ｋ１    他物固定具
【図１】
2010163794.tif 000003
【図２】
2010163794.tif 000004
【図３】
2010163794.tif 000005
【図４】
2010163794.tif 000006
【図５】
2010163794.tif 000007
【図６】
2010163794.tif 000008
【図７】
2010163794.tif 000009
【図８】
2010163794.tif 000010
【図９】
2010163794.tif 000011
【図１０】
2010163794.tif 000012
【図１１】
2010163794.tif 000013